(57)【特許請求の範囲】
【請求項１】
縦横交差方向に伸びる間隙を介して隣接する躯体間を連結し、該躯体間隙を被閉するエキスパンションジョイント構造であって、
縦方向に伸びる躯体間隙を被閉する縦カバー材と、縦カバー材の下端部から横方向に伸びる躯体間隙を被覆するように一体に張設し、下面側にスライド挿入部を備えた水切カバー材と、横方向に伸びる躯体間隙を被閉する横カバー材とからなり、
縦カバー材を一方の躯体に水平方向回動可能に取り付け、横カバー材の基端側部を前記水切カバー材のスライド挿入部にスライド可能に挿入すると共に、横カバー材の一側縁部を一方の躯体に固定してなる構成を有するエキスパンションジョイント構造。
【請求項２】
水切りカバー材の躯体と対面する側縁部に弾性変形可能な止水部材を付設し、水切りカバー材と躯体とを当該止水部材を介して密着接合してなる請求項１に記載のエキスパンションジョイント構造。
【発明の詳細な説明】
【０００１】
【発明の属する技術分野】
本発明は、隣接する建物の躯体間隙を被閉し、かつ建物の変動を吸収することができるエキスパンションジョイント構造であって、特に縦横交差方向に伸びる間隙を介して隣接する躯体間を連結するエキスパンションジョイント構造に関する。
【０００２】
【従来の技術】
従来、縦横交差方向に伸びる間隙を介して隣接する躯体間を連結する場合、次のようなジョイント構造が採られていた。
すなわち、図９に示すような屋上７１上にパラペット７２を周設すると共に塔屋７３を立設した建物７４と、屋上７１より外壁面７５の方が高くなっている建物７６とが間隙Ｖを隔てて隣接している場合に、建物７６の外壁面７５に水平方向に切欠溝部７７を形成し、エキスパンションジョイント７８の横カバー材７９の一側端部分を切欠溝部７７に把持させた状態で、横カバー材７９で躯体間隙の上面を被閉し、同時に塔屋７３の外側面のうち、横カバー材７９が当接する部分を切り欠いて横カバー材７９の基端側縁部を挿入させてこの挿入部をコーキング処理８０して横カバー材７９を塔屋７４に固着し、この横カバー材７９で横方向に伸びる間隙の上面を被閉する一方、縦方向に伸びる躯体間隙を被閉すべく横カバー材７９の上部にコーナーカバー材８１を配設し、その下端を横カバー材７９の上面に当接させてコーキング材で塞ぐなどしてエキスパンションジョイント８２を施行し、縦方向に伸びた躯体間隙を被閉するようにしていた。
【０００３】
【発明が解決しようとする課題】
本来、このようにして建物７４、建物７６間の入隅部にエキスパンションジョイント７８を施行することにより、建物の変動を吸収すると共に、躯体間隙への雨水の浸入を防止できるはずであるにもかかわらず、上記のように塔屋７３の外側面に形成した切欠部に横カバー材７９の端部を挿入してここをコーキング処理８０していたため、両建物７４、７６が躯体間隙長手方向（この方向を以下「Ｙ方向」という。）に変動した場合には、横カバー材７９自体が破損するおそれがあり、エキスパンションジョイント機能が充分に発揮するとは言えなかった。
【０００４】
そこで本発明は、従来のこの種のエキスパンションジョイント構造が抱えていた課題を解消すべく、上記のエキスパンションジョイント構造を改良し、隣接する躯体間に形成される縦横交差方向に伸びる間隙への雨水浸入を確実に防止でき、しかも特に建物のＹ方向変動を吸収できるエキスパンションジョイント構造を提供せんとするものである。
【０００５】
【課題を解決するための手段】
上記課題解決するために、本発明は、縦横交差方向に伸びる間隙を介して隣接する躯体間を連結し、該躯体間隙を被閉するエキスパンションジョイント構造において、縦方向に伸びる躯体間隙を被閉する縦カバー材と、横方向に伸びる躯体間隙を被閉する横カバー材との間に水切カバー材を配設することとした。すなわち、本発明は、縦横交差方向に伸びる間隙を介して隣接する躯体間を連結し、該躯体間隙を被閉するエキスパンションジョイント構造において、縦方向に伸びる躯体間隙を被閉する縦カバー材と、縦カバー材の下端部から横方向に伸びる躯体間隙を被覆するように一体に張設し、下面側にスライド挿入部を備えた水切カバー材と、横方向に伸びる躯体間隙を被閉する横カバー材とから構成し、縦カバー材を一方の躯体に水平方向回動可能に取り付け、横カバー材の基端側部を前記水切カバー材のスライド挿入部にスライド可能に挿入すると共に、横カバー材の一側縁部を一方の躯体に固定することとした。
【０００６】
これにより、縦方向に伸びる躯体間隙を縦カバー材で被閉し、横方向に伸びる躯体間隙を横カバー材と水切カバー材とで被閉することができるから、隣接する躯体間に形成される縦横交差方向に伸びる間隙への雨水浸入を確実に防止することができる。そればかりか、隣接する躯体が相互に躯体間隙長手方向（明細書を通じてこの方向を「Ｙ方向」という。）に変動した場合には、これに追随して縦カバー材が水平方向に回動し、同時にこの縦カバー材と一体に形成された水切カバー材も水平方向に回動するし、横カバー材は、一側端縁部のみを躯体に固定し、水切りカバー材に対してはスライド可能に挿入配設してあるから、躯体のＹ方向変動に追随してスライドすることができる。他方、隣接する躯体が相互に躯体間隙幅方向（明細書を通じてこの方向を「Ｘ方向」という。）に変動した場合には、縦カバー材及び横カバー材のいずれも一方の躯体に対してのみ固定し、水切りカバー材はいずれの躯体に対しても固定してないから、隣接する躯体の一方はこれら縦カバー材、水切カバー材及び横カバー材を破損させることなくＸ方向に変動することができる。このように、上記構成のエキスパンションジョイント構造は、隣接する躯体が相互にＸ方向、Ｙ方向のいずれの方向に変動した場合にもこれを破損なく吸収することができる。
【０００７】
上記構成においては、例えば水切りカバー材の躯体と対面する側縁部に弾性変形可能な止水部材を付設し、水切りカバー材と躯体とを当該止水部材を介して密着接合することにより、水切カバー材の回動を妨げずに水切カバー材と躯体との間の止水を確実にすることができる。
【０００８】
【発明の実施の形態】
以下、本発明の実施形態を実施例に基づき説明する。
【０００９】
図１〜図４には、本発明の実施例としてのエキスパンションジョイント構造１を記載してある。ちなみに、図１は、本発明のエキスパンションジョイント構造の一実施例の透視斜視図であり、図２は、その取付け状態を示した平面図であり、図３は、その斜視図であり、図４は、建造物躯体ＢがＹ方向に変動した場合の動作を示した透視平面図である。
【００１０】
エキスパンションジョイント構造１は、例えば図３に示されるように、縦横交差方向に伸びる躯体間隙を介して隣接する躯体Ａ，Ｂにおいて、躯体Ａの側壁外面ａと、躯体Ｂの側壁外面ｂと、側壁外面ｂと一体に形成されたパラペットＣの天端面ｃとから形成される入隅部に施工して躯体間隙内への雨水の浸入を防止するエキスパンションジョイント構造であって、縦方向に伸びる躯体間隙を被閉する縦カバー材としてのコーナーカバー材１２と、コーナーカバー材１２の下端部に一体に形成されてなる水切カバー材１１と、横方向に伸びる躯体間隙を被閉する横カバー材１３とから構成してある。
【００１１】
先ず、コーナーカバー材１２について説明すると、このコーナーカバー材１２は、側壁外面ａ及び側壁外面ｂからなるコーナー形状に沿って折曲し、更に両端部を側壁外面ａ又は側壁外面ｂに向かって折曲してなるカバー体本体１２３を枢着支持片１２１で裏打ち固着して構成してあり、この枢着支持片１２１の一側端部を躯体Ａの側壁外面ａに枢着部１２２を介して水平Ｚ方向回動可能に枢着固定すると共に、カバー体本体１２３のＸ方向両側端縁部に沿ってガスケット１１７、１１７を付設し、カバー体本体１２３のＸ方向一側端縁部と側壁外面ａとの間隙及びカバー体本体１２３のＸ方向他側端縁部と側壁外面ｂとの間隙をそれぞれ弾性変形可能な止水部材としてのガスケット１１７、１１７で閉塞してある。
【００１２】
次に、水切カバー材１１は、上面部１１０にコーナーカバー材１２の下端部横断面の輪郭に符合する切欠部１１１を形成し、この切欠部１１１と上記コーナーカバー材１２の下端部とを溶接等の固着手段により接合して一体化すると共に、上面部１１０のＹ方向前面側に垂下面１１３を形成し、上面部１１０のＸ方向前面側に垂下面１１４を形成し、更に前記垂下面１１３には横カバー材１３の形状に略沿うように切除してスライド挿入部１１３ａを形成して構成してある。
そしてこの水切カバー材１１は、側壁外面ａ、ｂと対面する側縁部１１５、１１６に沿って弾性変形可能な止水部材としてのガスケット１１７、１１７を付設し、側縁部１１５、１１６と側壁外面ａ、ｂとの間をこれらガスケット１１７、１１７を介して密着接合して閉塞してある。
【００１３】
横カバー材１３は、図１に示す如く、上面１３０のＸ方向前端縁を下に折曲して垂下面１３１を形成し、Ｘ方向基端縁を立上げて固定縁部１３２を形成すると共に、Ｙ方向基端縁を立上げて鍔部１３３を形成して構成してある。
この横カバー材１３は、上面１３０が上記水切カバー材１１の下面に当接するようにスライド挿入部１１３ａ内に挿入配設し、固定縁部１３２を側壁外面ａに固着し、この固着部分をシーリングして固定してある。この時、水切カバー材１１の一側垂下面１１３の下面と横カバー材１３の上面１３０とは、隙間なく相互に接触しつつ摺動するように配設するのが好ましい。
【００１４】
なお、横カバー材１３を水切カバー材１１のスライド挿入部１１３ａ内に挿入した状態において、スライド挿入部１１３ａのＸ方向前側部と横カバー材１３の垂下面１３１との間には隙間ｄを確保するように形成し、この隙間ｄは、少なくともガスケット１１７のＸ方向幅よりも大きく設定してある。
【００１５】
以上のようにエキスパンションジョイント構造１を構成すれば、躯体間隙内への雨水浸入防止の観点から見ると、縦方向に伸びる躯体間隙を被閉するコーナーカバー材１２のＸ方向両側端縁部にガスケット１１７、１１７を付設し、これによって側壁外面ａとの間隙を閉塞しているから縦方向に伸びる躯体間隙への雨水の浸入を防止している。また、横方向に伸びる躯体間隙に対しては、入隅基端側に水切カバー材１１を配設し、この水切カバー材１１と側壁外面ａ、ｂとの間もガスケット１１７、１１７を介して密着接合して閉塞すると共に、入隅先端側には横方向に伸びる躯体間隙を被閉する横カバー材１３を配設し、側壁外面ａとの固着部分をシーリングしてあるから、横方向に伸びる躯体間隙への雨水の浸入を防止している。これより、躯体間隙内への雨水浸入を確実に防止することができる。
【００１６】
次に、エキスパンションジョイント構造１をエキスパンションジョイント機能の点から見ると、図４に示す如く、躯体Ｂが矢印Ｙ方向に変動した場合、コーナーカバー材１２は枢軸部１２２を支点として水平Ｚ方向（図の矢印方向）に回動し、同時に水切カバー材１１もコーナーカバー材１２と一体に回動する。この時、躯体Ａに当接する側縁部１１５に付設したガスケット１１７がその弾発性により変形してシール性維持しつつ水切カバー材１１の回動幅を確保し、スライド挿入部１１３ａ内においては、スライド挿入部１１３ａのＸ方向前側部と横カバー材１３の垂下面１３１との間に形成した隙間ｄが水切カバー材１１の回動幅が確保するようになっている。また、横カバー材１３は、水切カバー材１１のスライド挿入部１１３ａ内でスライドすることができるから、エキスパンションジョイント構造１は、躯体Ａ，Ｂが相互にＹ方向に変動した場合にこの変動を吸収することができる。
【００１７】
他方、図３に示す如く、躯体Ａ，Ｂが相互にＸ方向に変動した場合には、コーナーカバー材１２及び横カバー材１３は躯体Ａ側にのみに固着され、水切カバー材１１はいずれの躯体Ａ，Ｂとも固着されていないから、躯体Ｂ及びパラペットＣがＸ方向に変動したとしても一定範囲内であればエキスパンションジョイント構造１が破損することがなく、やはりエキスパンションジョイント構造１は躯体Ａ，Ｂが相互にＸ方向に変動した場合にこの変動を吸収することができる。
【００１８】
上記エキスパンションジョイント構造１において、隣接する躯体Ａ，Ｂの入隅側壁の相互間にゴム弾性シート２を付設することによりここを被閉して雨水を受け止め、或いは、上記他方の躯体Ｂの側壁外面ｂに受樋３を固着しておくことにより、両躯体Ａ，Ｂ相互間の変動に拘らず躯体Ｂの側壁外面ｂと切欠部１１１で溶接されたコーナーカバー材１２の内壁面との間から流下する雨水を確実に受け止めるように形成することもできる。
【００１９】
例えば、図３、図５に斜視図で、図６に平面図で示す如く、躯体Ａと躯体Ｂの縦方向相互間並びに躯体Ａと、躯体Ｂに一体のパラペットＣ間の横方向相互間にゴム弾性シート２，２を付設しておき、該ゴム弾性シート２，２の有する伸縮柔軟性を利用してＸ−Ｘ´方向の変動に追従させ、躯体Ａの側壁外面ａと、躯体Ｂの側端面及びパラペットＣの側壁外面ｃとの間を被閉し、躯体Ｂの側壁外面ｂと、水切カバー材１１の切欠部１１１に沿って立設したコーナーカバー材１２の内壁面間を流下する雨水を受ける受樋３を、躯体Ｂの側壁外面ｂに固定しておくことが、雨水の浸入を完璧に防止するうえで一層好ましい。
【００２０】
即ち、上記受樋３は、図５に示す如く、樋本体３１にシール部取付片３２及び立上片３３，３４を立上げ形成し、上記シール部取付片３２上にガイドシール部３５が付設されたものである。この受樋３は、その背面部を躯体Ｂの側端部の側壁外面ｂに固着するが、その上下方向の取付け位置は、躯体Ｂと一体に直交配置されているパラペットＣの上面と横カバー材１３との間に迫出し形成されている。
【００２１】
上記受樋３の取付けにより、上方から浸入する雨水は、直接に或いはコーナーカバー材１２の内壁面を伝わって流下し、また、躯体Ｂの側壁外面ｂを伝わって流下する雨水は、矢印方向にガイドシール部３５により案内されて受樋３内に入り、該受樋３から横カバー材１３の裏側のパラペットＣの側壁内面を伝わり排水されるようになる。すなわち、躯体Ｂの側壁外面ｂに固着して躯体Ｂと一体のパラペットＣの上面上に受樋３を迫出し配設しておけば、雨水の浸入を完璧に防止することができると共に、上記ゴム弾性シート２や受樋３は、コーナーカバー材１２及び横カバー材１３の裏側で太陽光から遮られるので、長年に亘りその機能を保持できるので一層好ましいものである。
【００２２】
本発明のエキスパンションジョイント構造は、上記の如き一方の躯体壁面と他方の躯体壁面とこれと一体のパラペット天端面とからなる入隅構造のほか、例えば図９に示すように、間隙を介して一列状に並設する躯体Ａの側壁外面ａ及び躯体Ｂの側壁外面ｂと、側壁外面ａと一体のパラペットＥの天端面ｅと、側壁外面ｂと一体のパラペットＣの天端面ｃとからなり、しかも縦横交差方向に伸びる躯体間隙を有する入隅構造などにも適用することができる。
【００２３】
すなわち、図７に示すように、上記コーナーカバー材１２の代わりに縦カバー材として平型カバー材１２’を使用し、この平型カバー材１２’で側壁外面ａの間隙側端面部に枢着して縦方向に伸びる躯体間隙を被閉する。この平型カバー材１２’の下端部からは、上記同様に横方向の間隙を被覆するように水切カバー材１１を一体に張出形成する。そして、この水切カバー材１１のスライド挿入部１１３ａ内に、上記同様に隙間ｄを確保するように山型の横カバー材１３’のＹ方向基端部側をスライド可能に挿入配設すると共に、この山型の横カバー材１３’がパラペットＥの天端面ｅ及びパラペットＣの天端面ｃとを跨いで縦方向に伸びる躯体間隙を被閉するように配設すればよい。
【００２４】
また、当該横カバー材１３は、パラペットＥの天端面ｅ及びパラペットＣの天端面ｃにＸ方向スライド可能に設置されたカバーホルダー４、４・・（図では２つ）に被嵌して係合固定してＸ方向に変動可能に取り付けておく。例えば、図８に示すように、各カバーホルダー４の固定面の少なくとの一側のボルト挿通孔をＸ方向に長尺な長孔５、すなわちルーズホールとすれば、カバーホルダー４をＸ方向スライド可能に設置すればよい。
【図面の簡単な説明】
【図１】本発明の一実施例に係るエキスパンションジョイント構造の一例を示した透視斜視図である。
【図２】図１のエキスパンションジョイント構造の取付け状態を示した平面図である。
【図３】同じく、図１のエキスパンションジョイント構造の取付け状態を示した斜視図である。
【図４】躯体ＢがＹ方向に変動した場合の動作を示した透視平面図である。
【図５】図１のエキスパンションジョイント構造に付設される受樋の一例を示した斜視図である。
【図６】図５の受樋の取付状態を示した透視平面図である。
【図７】本発明の一実施例に係るエキスパンションジョイント構造の他例を示した透視斜視図である。
【図８】図７における横カバー材を支持するホルダーの一例を示した平面図である。
【図９】従来のエキスパンションジョイント構造の一例を示した斜視図である。
【符号の説明】
１        エキスパンションジョイント
１１      水切カバー材
１１０    上面部
１１１    切欠部
１１２    溶接部
１１３    垂下面
１１３ａ  スライド挿入部
１１４    垂下面
１１５    側縁部
１１６    側縁部
１１７    ガスケット
１２      コーナーカバー材
１２１    枢着支持片
１２２    枢着部
１２３    カバー体本体
１３      横カバー材
１３０    上面
１３１    垂下面
１３２    固定縁部
１３３    鍔部
２        ゴム弾性シート
３        受樋
４        カバーホルダー
５        長孔
Ａ          一方の躯体
Ｂ          他方の躯体
Ｃ          パラペット
Ｅ          パラペット
ａ，ｂ      側壁外面
ｄ          間隙
ｃ，ｅ      天端面
【図１】
0004083902.tif 000002
【図２】
0004083902.tif 000003
【図３】
0004083902.tif 000004
【図４】
0004083902.tif 000005
【図５】
0004083902.tif 000006
【図６】
0004083902.tif 000007
【図７】
0004083902.tif 000008
【図８】
0004083902.tif 000009
【図９】
0004083902.tif 000010